(57)【要約】【課題】屋根裏との換気機能を備えた鼻隠し化粧板を軒の出が短い建物の軒先に取り付けて、風で吹き上げられた雨水が通気孔から屋根裏へと浸入するのを確実に防止し、施工が容易で取り付けた状態の見栄えもよいものとする。【解決手段】鼻隠し３の前面３１を覆う前面被覆部１１と、その下側に中空状の換気室２を形成する下面被覆部１２を有する鼻隠し化粧板１において、下面被覆部１２の背面部１２４に通気孔２ｂを形成するとともに、その背面部１２４の上端から後方へ中継部１３を介して後壁部１４を突出させ、下面被覆部１２の背面側上端近傍に中継部１３に対する折れ角度を調整する角度調整部２３を設ける。後壁部１４を外壁材６に取り付ける際、中継部１３に対する傾きを適宜に設定することで後壁部１４を外壁材６に密接させる。【選択図】図１
2010013841.tif 000002
【特許請求の範囲】
【請求項１】
鼻隠し（３）の前面（３１）を覆う前面被覆部（１１）と、鼻隠し（３）の下面（３２）を覆うとともにその下方に中空状の換気室（２）を形成する下面被覆部（１２）を有する鼻隠し化粧板であって、
前記換気室（２）を形成する下面被覆部（１２）の背面部（１２４）上端から後方へ中継部（１３）を延出し、この中継部（１３）の後端に下方へ屈曲した後壁部（１４）を設けて前記背面部（１２４）と後壁部（１４）との間に通気領域（２ａ）を形成するとともに、背面部（１２４）に前記換気室（２）と連通した複数の通気孔（２ｂ）を形成し、
前記下面被覆部（１２）の背面部（１２４）の上端近傍又は後壁部（１４）の上端近傍に中継部（１３）に対する折れ角度を調整する角度調整部（２３）を設けたことを特徴とする鼻隠し化粧板。
【請求項２】
角度調整部（２３）は、中継部（１３）との折れ部に沿って所定長さのスリット（２３ａ）を所定間隔で断続的に形成してなることを特徴とする請求項１に記載の鼻隠し化粧板。
【請求項３】
換気室（２）内に通気孔（２ｂ）から浸入した雨水などを捕捉する遮蔽部材（２５）を設けたことを特徴とする請求項１又は２に記載の鼻隠し化粧板。
【請求項４】
遮蔽部材（２５）は、換気室（２）内で下面被覆部（１２）の背面部（１２４）と対向し、且つ前記背面部（１２４）上方から下面被覆部（１２）の前面側下方に向けて伸びた傾斜面（２５３）を有することを特徴とする請求項３に記載の鼻隠し化粧板。
【請求項５】
遮蔽部材（２５）で加熱発泡材（Ｘ）を支持させたことを特徴とする請求項３又は４に記載の鼻隠し化粧板。
【請求項６】
下面被覆部（１２）の背面部（１２４）に換気室（２）側へ短冊形に凹んだ凹段部（２１）を設け、この凹段部（２１）と前記背面部（１２４）との段差部分に通気孔（２ｂ）を設けたことを特徴とする請求項１〜５の何れかに記載の鼻隠し化粧板。
【発明の詳細な説明】
【技術分野】
【０００１】
本発明は、軒先の下方空間と屋根裏空間とを連通させて屋根裏の換気が行えるように形成された鼻隠し化粧板に関し、特に軒の出が短い建物の軒先への設置に対応した構成のものに関する。
【背景技術】
【０００２】
近年、都市部では建物を建てるために必要な敷地面積を確保するのが難しくなってきている。そこで、軒の出を短くして建物の居住面積を広げるとともに、屋根裏の換気が行えるようにした軒先の構造が提案されている（例えば、特許文献１、２参照）。
【０００３】
【特許文献１】実開平５−８１４３２号公報
【特許文献２】特開２００８−２２２７号公報
【発明の開示】
【発明が解決しようとする課題】
【０００４】
軒の出を短くした建物は、屋根を伝って流れ落ちる雨水が必然的に軒下に降り込み易く、風で吹き上げられた雨水が軒先に設けた通気孔から屋根裏へと浸入し易くなる。そのため、軒の出が長い建物で使用されていた換気装置をそのまま軒の出の短い建物の軒先に取り付けたのでは、風で吹き上げられた雨水が通気孔から屋根裏へと浸入するのを防止することができないという問題があった。
【０００５】
本発明は従来技術の有するこのような問題点に鑑み、屋根裏との換気機能を備えた鼻隠し化粧板を軒の出が短い建物の軒先に取り付けて、風で吹き上げられた雨水が通気孔から屋根裏へと浸入するのを確実に防止し、しかも施工が容易で取り付けた状態の見栄えもよいものとすることを課題とする。
【課題を解決するための手段】
【０００６】
前記課題を解決するため本発明は、鼻隠しの前面を覆う前面被覆部と、鼻隠しの下面を覆うとともにその下方に中空状の換気室を形成する下面被覆部を有する鼻隠し化粧板であって、前記換気室を形成する下面被覆部の背面部上端から後方へ中継部を延出し、この中継部の後端に下方へ屈曲した後壁部を設けて前記背面部と後壁部との間に通気領域を形成するとともに、背面部に前記換気室と連通した複数の通気孔を形成するとともに、前記下面被覆部の背面部の上端近傍又は後壁部の上端近傍に中継部に対する折れ角度を調整する角度調整部を設けたことを特徴としている。
前記角度調整部は、中継部との折れ部に沿って所定長さのスリットを所定間隔で断続的に形成することにより、中継部に対する背面部又は後壁部の折れ角度を適宜な角度に調整し得る構成のものとすることができる。
【０００７】
前記構成の鼻隠し化粧板は、前面被覆部が鼻隠しの前面にビスや釘等で固定して取り付けられる。取り付けの際、角度調整部を起点として中継部に対する下面被覆部の背面部又は後壁部の傾きを変えることで、背面部と後壁部との間隔を調整して適宜な間隔に設定し、建物の軒下に面した外壁材の厚みに関わらず、折れ角度を調整するという簡易な操作で、後壁部の背面側取り付け面を外壁材の外面に密着させてこれを固定することができ、足場の不安定な高所でのビスや釘等の打ち込み作業を簡単且つ確実に行うことが可能である。
【０００８】
前記構成の鼻隠し化粧板において、通気領域から換気室内に雨水が入り込み、この雨水が屋根裏に浸入するのを防止するため、換気室内に通気孔から浸入した雨水などを捕捉する遮蔽部材を設けることができる。この遮蔽部材は、換気室内で下面被覆部の背面部と対向し、且つ前記背面部上方から下面被覆部の前面側下方に向けて伸びた傾斜面を有する形状に設けることが好ましい。
換気室内に遮蔽部材を設けてあれば、たとえ雨水が通気孔から換気室内に流入しても遮蔽部材で確実に捕捉し、屋根裏へ浸入することを防止することができる。
【０００９】
前記構成の鼻隠し化粧板において、遮蔽部材の上面に設置するなどして、加熱発泡材を遮蔽部材で支持させることが好ましい。
換気室内に加熱発泡材が配設してあれば、火災時に通気孔から換気室内に火炎や熱風が浸入したときに、加熱発泡材が膨張して換気室内の通気経路を遮断し、屋根裏に火炎などが廻り込んで延焼することを防止することができる。
【００１０】
また、前記鼻隠し化粧板において、下面被覆部の背面部に換気室側へ短冊形に凹んだ凹段部を設け、この凹段部と前記背面部との段差部分に通気孔を設けることができる。
これによれば、前記背面部から換気室側へ凹んだ凹段部の表面が遮蔽板として機能し、風で吹き上げられた雨水が通気領域から換気室内に吹き込んだ際、雨水は凹段部へと入り込んで、その奥側の遮蔽板に衝突し付着して水滴となり、遮蔽板の表面を伝って流れ落ち、換気室の入り口部分で、換気室内に雨水が浸入することを抑制する。そして、凹段部両側の段差部分に形成された通気孔２ｂには水気のない外気のみが進入し、前記遮蔽板の裏側へ回り込んで屋根裏へと流入して、屋根裏空間の換気が行われる。通気孔が直に通気領域に面してはいないので、雨水が屋根裏へとそのまま浸入することはなく、また、軒下から通気孔が目に付かず、軒先廻りの外観が損なわれることはない。
【発明の効果】
【００１１】
本発明の鼻隠し化粧板によれば、外壁材の厚みに拘わらず、軒先への取り付けが簡単且つ確実に行え、軒先を見栄えよく処理できるとともに、屋根裏への雨水の浸入を防止して屋根裏の換気を十分に行うことができ、また、火災時には火炎などが屋根裏へと進入することを防止することができる。
【発明を実施するための最良の形態】
【００１２】
本発明の好適な実施の形態を図面に基づいて説明する。
図１は本発明の一実施形態の鼻隠し化粧板を鼻隠しに取り付けた状態の軒先の概略断面図、図２は図１の鼻隠し化粧板の側面図、図３は図２中のＡ―Ａ線に沿った鼻隠し化粧板の拡大断面図とそのＢ−Ｂ線に沿った断面図、図４は本発明の他の実施形態の鼻隠し化粧板を鼻隠しに取り付けた状態の軒先の概略断面図、図５は図４の鼻隠し化粧板の側面図、図６は図５中のＣ―Ｃ線に沿った鼻隠し化粧板の拡大断面図、図７は鼻隠し化粧板の他の実施形態の側面図、図８は鼻隠し化粧板のさらに他の実施形態の側面図である。
【００１３】
本発明の鼻隠し化粧板１は、軒の出が短い建物の軒先への設置に対応したものであり、図１と図４にそれぞれ示されるように、軒先の垂木４の端部に横木５が差し渡されてなる軒先であって、その前面３１が垂直となるように形成され、下面３２が垂木４の底面と略同角度で傾斜し且つ若干上方に位置するように設けられた鼻隠し３に設置される。
【００１４】
鼻隠し化粧板１は、例えば表面を塩化ビニル樹脂で覆うなどの耐蝕加工が施された被覆鋼板や、亜鉛鋼板などの耐蝕・耐火性を有する長尺の鋼板を、軒先に沿った長さでその長手方向に沿ってベンダー等で折り曲げて形成されている。
【００１５】
より詳しくは、図１及び図２に示された形態の鼻隠し化粧板１は、鼻隠し３の前面３１に接合して当該前面を覆うとともにビスや釘等の固定具（図示せず）を打ち込んで一体に固定される前面被覆部１１の下側に、鼻隠し３の下面３２を覆うととともにその下方に中空状の換気室２を形成する下面被覆部１２を設けて形成してある。
【００１６】
前面被覆部１１の上端には、軒先側前方へ直角に折れて突出していて先端を斜め下方へ傾斜させた係止片１５を連ねてある。
また、下面被覆部１２は、前面被覆部１１の下端から軒先側下方へ折れた前方傾斜部１２１と、前方傾斜部１２１の前端から下方へ折れた前面部１２２と、前面部１２２の下端から建物側へ水平に折れた下面部１２３と、下面部１２３の後端から上方へ略垂直に立ち上がった背面部１２４とで換気室２を形成し、この換気室２は前記上面被覆部１１を鼻隠し３の前面３１に固定した状態で当該鼻隠しの下面３２の下側に位置し、換気室２と屋根裏の空間とが連通するようになっている（図１中の矢印符号参照）。
さらに、下面被覆部１２の背面部１２４の上端から後方へ折れた中継部１３を延出するとともに、この中継部１３の後端に下方へ屈曲して適宜な長さで突出した後壁部１４を設け、前記背面部１２４と後壁部１４で囲われた両部の間の空間に通気領域２ａを形成してある。
【００１７】
また、下面被覆部１２の背面部１２４には通気領域２ａと換気室２内とを連通する複数の通気孔２ｂを形成してある。すなわち、図３に示されるように、背面部１２４には、その表面を換気室２側へ短冊形に凹ませた凹段部２１を水平方向に沿って所定間隔開けて多数設けてあり、各凹段部２１と背面部１２４表面との段差部分の間隙を通気孔２ｂとしてある。
各通気孔２ｂは凹段部２１の両側に位置しているため、風で吹き上げられた雨水が通気領域２ａから凹段部２１に吹き付けると、凹段部２１の表面が雨水を遮蔽する遮蔽板２２として機能し、雨水が遮蔽板２２に衝突してその表面に付着し、水滴となって当該板を伝って下方へ流れ落ち、遮蔽板２２の両側に配された通気孔２ｂには換気室２内に空気のみが流入し、屋根裏へと流入して換気が行われるようになっている。
なお、各凹段部２１の幅（Ｗ）と形成間隔（Ｐ）は建物の取付場所や施工地域などに応じて適宜設定することができる。また、凹段部２１に代えて背面部１２４に短冊形の通孔を形成し、別体の遮蔽板２２を換気室２側で通孔の上下両端にアーチ状に接続することにより、遮蔽板２２の両側を通気孔２ｂとしてもよい。
【００１８】
また、図３に示されるように、下面被覆部１２の背面部１２４の上部には、中継部１３に対する折れ角度を調整する角度調整部２３を設けてある。すなわち、図３に示されるように、背面部１２４の上端近傍には、中継部１３との折れ部に沿って所定長さのスリット２３ａが所定長さの連結部２３ｂを挟んで断続的に設けてあり、中継部１３との折れ角度を任意の角度に容易に設定できるように設けてある。そして、鼻隠し化粧板１を鼻隠し３に取り付ける際に、中継部１３に対する背面部１２４と後壁部１４の傾きを適宜に設定することにより、背面部１２４と後壁部１４との間隔を調整して後壁部１４を建物の外壁材６に接合し、固定できるようになっている。
なお、角度調整部２３を構成するスリット２３ａと連結部２３ｂは、中継部１３の折れ部に沿って後壁部１４の上端近傍に設けてもよく、背面部１２４と後壁部１４の何れか一方又は両方に設けてもよい。
【００１９】
このように構成される本形態の鼻隠し化粧板１は、図１に示されるように、前面被覆面部１１を鼻隠し３の前面３１に重ねて接合し、その上からビスや釘等の固定具を打ち込んで軒先に固定される。鼻隠し３に取り付けられた鼻隠し化粧板１の係止片１５には、水切り板７の下端が係止され、軒樋９は鼻隠し化粧板１の前面に固定された吊り具８で支持されて、軒樋９の後側壁と鼻隠し化粧板１の前面との間に隙間ができないように設置される。
また、鼻隠し化粧板１の後壁部１４は、その端部にスポンジ等のクッション材１４ａが固着され、軒下の外壁材６に密着して固定される。この際、下面被覆部１２の背面部１２４に角度調整部２３を設けてあるので、この角度調整部２３を起点として後壁部１４の傾きを調整し、背面部１２４と後壁部１４との間隔を調整することで、クッション材１４ａを外壁材６の外面に密着させて水密性を確保した状態で後壁部１４を固定することができる。すなわち、一般に、建物の外壁を構成するサイデングなどの外壁材６は、品種やグレードによってその厚みＴが異なるため（通常は１５ｍｍ〜２７ｍｍ）、外壁材６の厚みＴに対応した化粧板が必要となるが、前記の通り、後壁板１４の傾斜角度が調整可能なので、異なる厚みの外壁材６に対して、クッション材１４ａを介して後壁部１４を外壁材６の外面に密着させて取り付けることが可能である。
また、風で吹き上げられた雨水が通気領域２ａから換気室２内に吹き込む際、雨水は凹段部２１の遮蔽板２２に衝突し付着して水滴となり、遮蔽板２２の表面を伝って流れ落ち、換気室２の入り口部分で遮断され、換気室２内、さらには屋根裏へと吹き込むことが抑制される。そして、通気孔２ｂには水気のない外気のみが換気室２内へと進入し、屋根裏へと流入して屋根裏空間の換気を行うことができる。
通気孔２ｂが直に通気領域２ａに面して設けられておらず、また、前記角度調整部２３を構成するスリット２３ａも背面部１２４又は後壁板１４の上端近傍に設けてあるので、軒先を下から見上げたとき通気孔２ｂ及びスリット２３ａがほとんど目に触れず、軒先廻りの外観が損なわれることはない。
【００２０】
図４〜図６は本発明の他の実施形態を示しており、これは前記と同様の形態の鼻隠し化粧板１の換気室２内に、通気孔２ｂから浸入した雨水などを捕捉する遮蔽部材２５を設けたものである。
より詳しくは、図５及び図６に示されるように、鼻隠し化粧板１の遮蔽部材２５は、その上端部２５１が中継部１３の上面にリベットなどで固定され、背面部１２４の上方から前面部１２２の下方に向けて斜め下向き伸びた傾斜面２５３を備え、その下端部２５２を下面部１２３と接近した位置で背面部１２４側へ屈曲させ、当該屈曲した部分を背面部１２４及び通気孔２ｂと対向する位置に設けてある。また、前記前面部１２２の下部には複数の水抜き孔２４を形成してある。
本形態の鼻隠し化粧板１によれば、強風時に雨水が通気孔２ｂを通過して換気室２内に吹き込んだとしても、雨水は遮蔽部材２５の表面に衝突し付着して水滴となり、底面部１２３上に流れ落ちて水抜き孔２４から換気室２の外側へ排出させることができる。
【００２１】
図７は本発明の他の実施形態を示しており、この鼻隠し化粧板１は、換気室２内に設けた遮蔽部材２５の上面に加熱発泡材Ｘを設置して、換気室２内で加熱発泡材Ｘが支持されるように設けたものである。
これによれば、換気室２内の通気経路に加熱発泡材Ｘを配設してあるので、火災時に通気孔２ｂから換気室２内に火炎や熱風が進入すると、加熱発泡材Ｘが熱膨張するため通気経路が遮断され、火炎が屋根裏空間に廻り込むことを防止し、建物の延焼を阻止することが可能である。
【００２２】
図８は本発明のさらに他の実施形態を示しており、この鼻隠し化粧板１は、前記傾斜面２５３の面内に多数の貫通孔２５ａが形成された遮蔽部材２５を換気室２内に設置したものである。
すなわち、多数の貫通孔２５ａを有する遮蔽部材２５の上端部２５１を背面部１２４の上方に固定し、斜め下方に傾斜する遮蔽部材２５の下端部２５２を前面部１２２と下面部１２３とが交差する隅部まで延出させ、且つ前面部１２２に沿って折り返した端部を当該前面部に接合して固定し、また、背面部１２４の下部に複数の水抜き孔２６を形成したものである。
これによれば、通気孔２ｂを通過して換気室２内に浸入した雨水は、遮蔽部材２５に衝突し付着して流れ落ち、水抜き孔２６から換気室２の外側へ排出することができ、また、貫通孔２５ａを通過した空気で屋根裏を換気することが可能である。この場合、遮蔽部材２５に形成する貫通孔２５ａは小径の通孔や細幅のスリットであることが好ましい。遮蔽部材２５に代えて、微細な通孔を有する金網や通気性のある網状の部材を通気孔２ｂと対向して配設しても同様の効果が期待できる。
【００２３】
なお、図示した鼻隠し化粧板１の形態は一例であり、本発明はこれらに限定されるものではない。各図には、背面部１２４に凹段部２１を設け、この凹段部２１と背面部１２４との段差部分に通気孔２ｂを設けた形態を示したが、背面部１２４に形成される通気孔２ｂは適宜な大きさ、径、幅、或いは形状のものでよく、雨水の浸入が阻害される大きさや形状のものであればより好ましい。
【図面の簡単な説明】
【００２４】
【図１】本発明の一実施形態の鼻隠し化粧板を鼻隠しに取り付けた状態の軒先の概略断面を示した図である。
【図２】図１の鼻隠し化粧板の側面図である。
【図３】(ａ)は図２中のＡ―Ａ線に沿った鼻隠し化粧板の拡大断面図、（ｂ）は（ａ）図中のＢ−Ｂ線に沿った断面図である。
【図４】本発明の他の実施形態の鼻隠し化粧板を鼻隠しに取り付けた状態の軒先の概略断面図である。
【図５】図４の鼻隠し化粧板の側面図である。
【図６】図５中のＣ―Ｃ線に沿った鼻隠し化粧板の拡大断面図である。
【図７】本発明の鼻隠し化粧板の他の実施形態の側面図である。
【図８】本発明の鼻隠し化粧板のさらに他の実施形態の側面図である。
【符号の説明】
【００２５】
１  鼻隠し化粧板、１１  前面被覆部、１２  下面被覆部、１２１  前方傾斜部、１２２  前面部、１２３  下面部、１２４  背面部、１３  中継部、１４  後壁部、１５  係止片、２  換気室、２ａ  通気領域、２ｂ  通気孔、２１  凹段部、２２  遮蔽板、２３  角度調整部、２４  水抜き孔、２５  遮蔽部材、２６  水抜き孔、３  鼻隠し、３１  前面、３２  下面、４  垂木、５  横木、６  外壁材、７  水切り板、８  吊り具、９  軒樋、Ｘ  加熱発泡材
【図１】
2010013841.tif 000003
【図２】
2010013841.tif 000004
【図３】
2010013841.tif 000005
【図４】
2010013841.tif 000006
【図５】
2010013841.tif 000007
【図６】
2010013841.tif 000008
【図７】
2010013841.tif 000009
【図８】
2010013841.tif 000010